(57)【特許請求の範囲】
【請求項１】
支柱同士の間に複数の羽根板を隙間をあけて取り付けたルーバーにおいて、
開口容器状に形成される前記羽根板の内部に植物が植え付けられ、該羽根板の内部に対する給排水が行われるものであり、
前記羽根板が支持軸により前記支柱に揺動可能に支持され、パイプ状に形成される該支持軸を介して該羽根板の内部に対する給排水が行われることを特徴とする植栽ルーバー。
【請求項２】
請求項１に記載した植栽ルーバーであって、
前記羽根板の内部に、前記植物が植え付けられた基盤マットが備えられることを特徴とする植栽ルーバー。
【請求項３】
請求項１又は２に記載した植栽ルーバーであって、
前記羽根板の内部に、活性炭が保持されていることを特徴とする植栽ルーバー。
【請求項４】
請求項１〜３のいずれか１つに記載した植栽ルーバーであって、
前記羽根板の内部底面が、給水側から排水側に向けて下がるように傾斜していることを特徴とする植栽ルーバー。
【請求項５】
請求項１〜４のいずれか１つに記載した植栽ルーバーであって、
前記植物がコケであることを特徴とする植栽ルーバー。
【発明の詳細な説明】
【０００１】
【発明の属する技術分野】
本発明は、支柱同士の間に複数の羽根板を隙間をあけて取り付けたルーバー（よろい戸，がらり）に関し、さらに詳しくは、植物を取り入れた全く新しいタイプの建築資材である植栽ルーバーに関する。
【０００２】
【従来の技術】
近年、特に都市においては、建築物等がコンクリートで覆われているために加熱されやすく、また多量のエネルギー消費のために排熱も多いことから、都市の温度が周りよりも高くなる「ヒートアイランド現象」が生じている。このヒートアイランド現象を緩和するために、公園，街路樹の設置や建築物屋上の緑化等の水平面の緑化を行って植物の絶対量を増やし、植物の持つ機能（例えば建築物の温度上昇を抑制する微気象緩和機能や、二酸化炭素を消費して酸素を製造する光合成機能等）を利用して日射熱の軽減や二酸化炭素の削減等を図っている。また、前記の如き水平面の緑化だけでは、十分な緑地面積の確保が困難であることから、法面等の斜面の緑化や、建築物壁面等の垂直面の緑化も行われている。
【０００３】
【発明が解決しようとする課題】
しかしながら、日除けや通風の機能を確保しつつ、建築物壁面等の垂直面の緑化を行うことができるような建築資材は、今まで提供されていなかった。また、新設の建築物壁面のみならず、既設の建築物壁面にも容易に適用することができるような建築資材も、今まで提供されていなかった。
【０００４】
本発明は、こうした背景のもとになされたものであり、その目的は、日除けや通風の機能を確保しつつ、建築物壁面等の垂直面の緑化を行うことができ、また新旧を問わず建築物壁面等の垂直面の緑化を容易に行うことができるような、植物を取り入れた全く新しいタイプの建築資材である植栽ルーバーを提供することにある。
【０００５】
また、本発明の他の目的は、羽根板の内部に植え付けられる植物が剥離・脱落することがないような植栽ルーバーを提供することにある。
【０００６】
また、本発明の他の目的は、羽根板の内部に供給される水の浄化も併せて行うことができるような植栽ルーバーを提供することにある。
【０００７】
また、本発明の他の目的は、羽根板の内部に対する給排水をスムーズに行うことができるような植栽ルーバーを提供することにある。
【０００８】
また、本発明の他の目的は、羽根板が揺動可能に支持される場合であっても、羽根板の内部に対する給排水をスムーズに行うことができるような植栽ルーバーを提供することにある。
【０００９】
さらに、本発明の他の目的は、植物に対するメンテナンスが必要最小限で済むような植栽ルーバーを提供することにある。
【００１０】
【課題を解決するための手段】
本発明は、前記課題を解決するために、次のような手段を採る。
【００１１】
まず、請求項１に係る発明は、支柱同士の間に複数の羽根板を隙間をあけて取り付けたルーバーにおいて、開口容器状に形成される前記羽根板の内部に植物が植え付けられ、該羽根板の内部に対する給排水が行われるものであり、前記羽根板が支持軸により前記支柱に揺動可能に支持され、パイプ状に形成される該支持軸を介して該羽根板の内部に対する給排水が行われる。
【００１２】
また、請求項２に係る発明は、請求項１に記載した植栽ルーバーであって、前記羽根板の内部に、前記植物が植え付けられた基盤マットが備えられることを特徴とする植栽ルーバーである。
【００１３】
また、請求項３に係る発明は、請求項１又は２に記載した植栽ルーバーであって、前記羽根板の内部に、活性炭が保持されていることを特徴とする植栽ルーバーである。
【００１４】
また、請求項４に係る発明は、請求項１〜３のいずれか１つに記載した植栽ルーバーであって、前記羽根板の内部底面が、給水側から排水側に向けて下がるように傾斜していることを特徴とする植栽ルーバーである。
【００１６】
さらに、請求項５に係る発明は、請求項１〜４のいずれか１つに記載した植栽ルーバーであって、前記植物がコケであることを特徴とする植栽ルーバーである。
【００１７】
【発明の実施の形態】
以下、本発明の実施の形態を、図面を参照して説明する。なお、以下においては、植栽ルーバー１に取り入れられる（植え付けられる）植物がコケ４０である場合について、説明を行う。
【００１８】
まず、本発明に係る植栽ルーバー１の第一実施形態の構成について説明する。ここで、図１（ａ）は植栽ルーバー１の第一実施形態を表す正面図であり、図１（ｂ）は同側面図であり、図２は水平状態，傾斜状態，及び垂直状態の羽根板２０を表す断面側面図であり、図３〜５は基盤マット３０及び羽根板２０の第一，第二，第三の形状を表す断面側面図である。
【００１９】
植栽ルーバー１は、図１に示すように、支柱１０，１０同士の間に複数の羽根板２０を隙間をあけて取り付けたルーバーに、植物であるコケ４０を取り入れた全く新しいタイプの建築資材である。この植栽ルーバー１は、例えば建築物壁面等の垂直面に取り付けられ、羽根板２０により日除けの機能を確保しながら、羽根板２０，２０同士の隙間により通風の機能を確保するものである。ここで「建築物」とは、例えばビルや家屋等の建物，橋梁，道路・軌道壁等のすべての建築物を意味する。また「壁面」とは、主として構造躯体ではない壁面を意味するが、外壁のみならず内壁も含む。なお「垂直面」には、若干の傾斜面も含む。
【００２０】
具体的には、植栽ルーバー１は、板状の支持土台１１の上面において、水平方向に所定の間隔をあけて並列に、二本の支柱１０，１０を鉛直に立設し、支柱１０，１０同士の間において、上下方向に所定の隙間をあけて並列に、複数（ここでは六枚）の羽根板２０を水平に取り付けたものである。なお、ここでの羽根板２０は、左右に設けた支持軸２１，２１により支柱１０，１０に揺動可能に支持される可動式であるが、支柱１０に側面視で斜めに固定される固定式でも良い。これら支柱１０，支持土台１１，羽根板２０，及び支持軸２１は、例えばアルミニウム合金により成形される。
【００２１】
支柱１０は、図１（ａ）に示すように、羽根板２０を支持すると共に、パイプ状に形成され、羽根板２０の内部に対する給排水の通路となるものである。具体的には、支柱１０は、上下方向に貫通する上下孔及びその上下孔から水平方向に分岐する複数の水平孔を有する中空のパイプ状に形成され、右側の支柱１０が給水側の通路とされ、左側の支柱１０が排水側の通路とされている。なお、支柱１０の断面形状は特に限定されるものではなく、例えば丸，楕円，角等、いかなる形状でも良い。また、支柱１０が中実の棒状に形成され、羽根板２０の内部に対する給排水が、支柱１０に沿って配置したホース３（図６参照）を介して行われるものでも良い。
【００２２】
羽根板２０は、図１及び図２に示すように、開口容器状に形成され、内部に植物が植え付けられるものである。具体的には、羽根板２０は、細長い中空直方体の上面に長手方向に亘って細長い長方形状の開口部２２が形成された、断面側面視でＣ形を呈する開口容器状に形成されている。
【００２３】
また、支持軸２１は、羽根板２０を揺動可能に支持すると共に、パイプ状に形成され、羽根板２０の内部に対する給排水の通路となるものである。具体的には、支持軸２１は、羽根板２０の左右の周壁に穿設された孔と一致するように、羽根板２０の左右の周壁に固設され、かつ前記水平孔と一致するように、支柱１０に枢支されている。
【００２４】
従って、支柱１０と羽根板２０の内部とは、図１に示すように、前記上下孔→前記水平孔→支持軸２１を介して連通しており、支持土台１１の上面に備えられるポンプ２から支柱１０を介して羽根板２０の内部に対する給排水が行われる。なお、ポンプ２は、植栽ルーバー１と別体に備えられるものでも良い。また、羽根板２０の内部に供給される水は、肥料が混入されている液肥であることが好ましい。
【００２５】
また、羽根板２０は、図２に示すように、実線で示す水平状態，仮想線で示す傾斜状態及び垂直状態の各状態に、側面視で水平軸周りに揺動可能である。なお、羽根板２０には、各状態を維持できるようにストッパが設けられている。また、複数の羽根板２０は、同期して揺動するものでも良く、それぞれ独立して揺動するものでも良い。
【００２６】
基盤マット３０は、図２に示すように、コケ４０の剥離・脱落を防止すべく、羽根板２０の内部に備えられ、コケ４０が植え付けられるものである。具体的には、基盤マット３０は、密集状の繊維３１の前後面及び底面を布状の保水材３２で包み込んで、羽根板２０の内部の形状と略同形同大の中実直方体状に形成され、繊維３１が露出している上面にコケ４０を自生させている。この基盤マット３０は、コケ４０が開口部２２から露出するように、羽根板２０の内部に装着される。
【００２７】
ここで繊維３１は、例えばポリオレフィン樹脂で構成されるポリオレフィン系繊維であり、この繊維３１が密集状（スパイラル状）に熱融着されて矩形のマット状に形成され、その繊維３１の隙間に培地（例えば後述するコケ入り活性炭）を担持するものである。また保水材３２は、例えば脱脂綿等で構成される不織布やポリオレフィン樹脂で構成される熱融着ネットであり、保水作用及び毛細管現象によって水分の均等な供給を図ると共に、繊維３１の隙間に担持される培地の流出を防止するものである。
【００２８】
この基盤マット３０の内部には、羽根板２０の内部に供給される水の浄化も併せて行うべく、図示しない活性炭が保持されている。実際には、活性炭，椰子殻，及びコケを練り込んで粒状に成形した培地であるコケ入り活性炭が、繊維３１の隙間に担持されている。なお、活性炭は、セラミック活性炭でも良い。
【００２９】
コケ４０は、図２に示すように、羽根板２０の内部に植え付けられる植物の一例であり、植物の持つ機能を利用すべく、植栽ルーバー１に取り入れられている。ここで植物としてコケ４０を選択したのは、肥料を混入した水（液肥）を与えて日光に当てるだけで、比較的長期間に亘って成育する一方、例えば芝のように過剰に伸びたりすることがないため、刈り込んだりする必要がなく、メンテナンスが必要最小限で済むからである。またコケ４０は、乾燥状況下でも仮死状態で成育し続け、さらに日本国内でも広範囲に自生しており培養も比較的容易であるため、本発明の如き特殊環境下での緑化に適するものである。
【００３０】
ここでコケ４０は、日照や温度等の生育環境によって適宜選択され、例えば日照を好むスナゴケ，半日陰を好むハイゴケ，日陰で成育するシノブゴケ等が適する。なお、他の種類の植物としては、例えばリュノヒゲ，ヤブラン，セダム類，ツル性植物等が適する。
【００３１】
このコケ４０は、予めハウス内である程度成育されることにより、前記コケ入り活性炭から発芽し、繊維３１の隙間に充満して基盤マット３０の上面に生え揃い、基盤マット３０に固定された状態で、開口部２２から露出するように羽根板２０の内部に装着される。なお、ここではコケ４０が基盤マット３０に植え付けられているが、他の種類の植物であれば、羽根板２０の内部に敷設される土に植え付けられているものでも良く、羽根板２０の内部に貯留される水で水耕栽培されるものでも良い。
【００３２】
基盤マット３０及び羽根板２０の側面形状は、その目的に応じて任意に形成されれば良い。例えば日除けや通風等を目的とする場合には、図３に示す第一の形状のように、水平方向に細長い長方形状に形成した基盤マット３０Ａに対して、水平方向に細長い長方形状において、下部の二隅を曲線状に形成した羽根板２０Ａ，四隅を曲線状に形成した羽根板２０Ａ’，四隅を直角に形成した羽根板２０Ａ”とすれば良い。
【００３３】
また、例えば家庭菜園等を目的とする場合には、図４に示す第二の形状のように、ほぼ正方形状に形成した基盤マット３０Ｂに対して、同様にほぼ正方形状に形成した羽根板２０Ｂとすれば良く、また図５に示す第三の形状のように、前辺が短く後辺が長い台形状に形成した基盤マット３０Ｃに対して、同様に前辺が短く後辺が長い台形状に形成した羽根板２０Ｃとすれば良い。
【００３４】
次に、本発明に係る植栽ルーバー１’の第二実施形態の構成について説明する。ここで、図６は植栽ルーバー１’の第二実施形態を表す断面正面図である。なお、第一実施形態に係る植栽ルーバー１と同様の構成については同様の符号を付し、詳細な説明を省略する。
【００３５】
植栽ルーバー１’は、図６に示すように、支柱１０’，羽根板２０’，基盤マット３０，及びコケ４０等からなり、前記植栽ルーバー１と比較して、給排水の通路の形状，及び羽根板２０’の内部の形状が異なる。
【００３６】
まず、植栽ルーバー１’では、給排水の通路の形状が蛇腹状に形成されている。具体的には、支柱１０’が、あたかも竹の如く途中に節を有する中空のパイプ状に形成されており、左右の支柱１０’及び複数の羽根板２０’により、給排水の通路の形状が一方通行の蛇腹状に形成されている。
【００３７】
従って、ポンプ２から圧送された水（液肥）は、途中にバルブ４が備えられ、支柱１０’に沿って配置されたホース３の内部を下から上に向けて上昇し、最上段の羽根板２０’の内部を右から左に向けて流下し、左側の支柱１０’の内部を上から下に向けて流下し、折り返して次段の羽根板２０’の内部を左から右に向けて流下し、右側の支柱１０’の内部を上から下に向けて流下し、折り返して図示しない次段の羽根板２０’の内部を右から左に向けて流下し、以後繰り返して最終的にポンプ２に至る。
【００３８】
また、植栽ルーバー１’では、羽根板２０’の内部に対する給排水をスムーズに行うべく、羽根板２０’の内部底面２３が給水側から排水側に向けて下がるように傾斜している。具体的には、内部底面２３が二重底になっており、上側の底面が給水側から排水側に向けて任意の角度で傾斜している。従って、例えば最上段の羽根板２０’の内部において、右から供給された水（液肥）は、傾斜に沿ってスムーズに左に流下し、左側の支柱１０’に向けて排出される。
【００３９】
さらに、植栽ルーバー１’では、羽根板２０’の内部における水の流れを調節すべく、羽根板２０’の内部底面２３に前後方向に亘って適宜の高さを有する堰２４が適数突設されている。従って、例えば最上段の羽根板２０’の内部において、右から供給された水（液肥）は、堰２４により堰き止められて流速及び流量を調節される。
【００４０】
次に、本発明に係る植栽ルーバー１（及び１’）の作用について説明する。この植栽ルーバー１は、例えば建築物の垂直な外壁に取り付けられて用いられる。ここで植栽ルーバー１は、前記の如く比較的簡易かつ軽量に構成されるため、新設の建築物壁面のみならず、既設の建築物壁面にも容易に適用することができる。
【００４１】
まず、図１に示すように、ポンプ２を作動すると、ポンプ２から圧送された水（液肥）は、右側の支柱１０の内部を下から上に向けて上昇し、右側の支持軸２１を介して各段の羽根板２０の内部に供給（給水）され、各段の羽根板２０の内部を右から左に向けて流下し、左側の支持軸２１を介して各段の羽根板２０の内部から排出（排水）され、左側の支柱１０の内部を上から下に向けて流下し、最終的にポンプ２に至る。即ち、パイプ状に形成される支柱１０及び支持軸２１を介して、羽根板２０の内部に対する給排水が行われる。このような給排水により冷却効果が得られるので、冷房用のエネルギーや費用を節約することができる。
【００４２】
ここで、図２に示すように、コケ４０が日光に良く当たるように羽根板２０を揺動すると、液肥及び日光によってコケ４０が成育する。このコケ４０は、基盤マット３０に植え付けられ、固定されているので、風が吹いたりしても植栽ルーバー１から剥離・脱落することがない。また基盤マット３０の内部には、図示しない活性炭が保持されているので、活性炭の持つ水質浄化機能，有害物吸着機能等により、羽根板２０の内部に供給される水の浄化も併せて行われる。従って、浄化された水を再利用することができる。さらにコケ４０は、比較的長期間に亘って成育する一方、例えば芝のように過剰に伸びたりすることがないため、刈り込んだりする必要がなく、メンテナンスが必要最小限で済む。
【００４３】
このようにして成育したコケ４０は、植物の持つ機能を発揮し、種々の優れた効果を奏する。まず、微気象緩和機能により、建築物の温度上昇を抑制するので、日射熱が軽減され、ヒートアイランド現象が緩和される。また、光合成機能により、二酸化炭素を消費して酸素を製造するので、二酸化炭素が削減され、ヒートアイランド現象が緩和されると共に、空気が浄化される。なお、他の種類の植物であれば、吸音機能や吸電磁波機能を発揮したり、食糧として利用することもできる。さらに、いずれの植物であっても、癒しや潤いといったリラックス効果を得ることができる。
【００４４】
最後に、上記の実施形態では、支柱１０，１０’（又はホース３）を介して羽根板２０，２０’の内部に対する給排水、即ち給水及び排水が行われる場合を例に説明を行ったが、給水又は排水のいずれか一方のみが支柱（又はホース）を介して行われる形態でも良い。例えば給水は降雨等により自然に又はじょうろ等により人為的に行われ、排水は前記の如く支柱（又はホース）を介して行われるものでも良く、逆に排水は羽根板の底部に穿設した孔からの流出により自然に行われ、給水は前記の如く支柱（又はホース）を介して行われるものでも良い。即ち、「給排水」とは、給水及び／又は排水を意味するものである。
【００４５】
【発明の効果】
まず、請求項１に係る発明によれば、開口容器状に形成される羽根板の内部に植物が植え付けられ、（例えばパイプ状に形成される支柱を介して，又は支柱に沿って配置したホースを介して）羽根板の内部に対する給排水が行われるという、植物を取り入れた全く新しいタイプの建築資材である植栽ルーバーを構成するので、日除けや通風の機能を確保しつつ、建築物壁面等の垂直面の緑化を行うことができ、また新旧を問わず建築物壁面等の垂直面の緑化を容易に行うことができる。従って、植物の持つ機能により日射熱の軽減や二酸化炭素の削減等が図られるのでヒートアイランド現象が緩和され、また給排水により冷却効果が得られるので冷房用のエネルギーや費用が節約されるという効果を奏する。
【００４６】
また、請求項２に係る発明によれば、請求項１に係る発明の効果に加えて、羽根板の内部に植物が植え付けられた基盤マットが備えられるので、植物が剥離・脱落することがないという効果を奏する。
【００４７】
また、請求項３に係る発明によれば、請求項１又は２に係る発明の効果に加えて、羽根板の内部に活性炭が保持されているので、羽根板の内部に供給される水の浄化も併せて行うことができるという効果を奏する。
【００４８】
また、請求項４に係る発明によれば、請求項１〜３のいずれか１つに係る発明の効果に加えて、羽根板の内部底面が給水側から排水側に向けて下がるように傾斜しているので、羽根板の内部に対する給排水をスムーズに行うことができるという効果を奏する。
【００４９】
また、請求項５に係る発明によれば、請求項１〜４のいずれか１つに係る発明の効果に加えて、羽根板が支持軸により支柱に揺動可能に支持され、パイプ状に形成される支持軸を介して羽根板の内部に対する給排水が行われるので、羽根板が揺動可能に支持される場合であっても、羽根板の内部に対する給排水をスムーズに行うことができるという効果を奏する。
【００５０】
さらに、請求項６に係る発明によれば、請求項１〜５のいずれか１つに係る発明の効果に加えて、植物がコケであるので、植物に対するメンテナンスが必要最小限で済むようという効果を奏する。
【図面の簡単な説明】
【図１】図１（ａ）は、植栽ルーバーの第一実施形態を表す正面図であり、図１（ｂ）は、同側面図である。
【図２】図２は、水平状態，傾斜状態，及び垂直状態の羽根板を表す断面側面図である。
【図３】図３は、基盤マット及び羽根板の第一の形状を表す断面側面図である。
【図４】図４は、基盤マット及び羽根板の第二の形状を表す断面側面図である。
【図５】図５は、基盤マット及び羽根板の第三の形状を表す断面側面図である。
【図６】図６は、植栽ルーバーの第二実施形態を表す断面正面図である。
【符号の説明】
１…植栽ルーバー
２…ポンプ
３…ホース
４…バルブ
１０…支柱
１１…支持土台
２０…羽根板
２１…支持軸
２２…開口部
２３…内部底面
２４…堰
３０…基盤マット
３１…繊維
３２…保水材
４０…コケ
【図１】
0004625162.tif 000002
【図２】
0004625162.tif 000003
【図３】
0004625162.tif 000004
【図４】
0004625162.tif 000005
【図５】
0004625162.tif 000006
【図６】
0004625162.tif 000007